(57)【要約】【課題】空気清浄機の稼働状態を検出することができる空気調和機を提供する。【解決手段】電気集塵式の空気清浄ユニット７を着脱自在に備えた空気調和機であって、一次側にパルス状電圧が印加され、二次側に発生する高電圧を前記空気清浄ユニットに印加するトランス２１を備えた駆動回路１２と、トランスの二次側の負荷電流を検出する電流検出部２５と、電流検出部で検出した前記負荷電流に基づいて空気清浄ユニットの稼働状態を判別する稼働状態判別部１５とを備えている。【選択図】図１
2018167159.tif 000002
【特許請求の範囲】
【請求項１】
電気集塵式の空気清浄ユニットを着脱自在に備えた空気調和機であって、
一次側にパルス状電圧が印加され、二次側に発生する高電圧を前記空気清浄ユニットに印加するトランスを備えた駆動回路と、
前記トランスの二次側の負荷電流を検出する電流検出部と、
前記電流検出部で検出した前記負荷電流に基づいて前記空気清浄ユニットの稼働状態を判別する稼働状態判別部とを備えていることを特徴とする空気調和機。
【請求項２】
前記稼働状態判別部は、前記負荷電流の値に基づいて、少なくとも前記空気清浄ユニットの汚れ状態と、前記空気清浄ユニットの未装着とを判別することを特徴とする請求項１に記載の空気調和機。
【請求項３】
前記駆動回路は、前記トランスの二次側に接続された倍電圧回路を有し、前記電流検出部は、前記倍電圧回路の負極側に帰還する前記負荷電流を検出することを特徴とする請求項1または請求項２に記載の空気調和機。
【請求項４】
前記空気清浄ユニットは、正イオンを発生させるアイオナイザ部と、前記正イオンによって帯電した塵埃を集塵するコレクタ部とで構成されていることを特徴とする請求項１から３の何れか一項に記載の空気調和機。
【発明の詳細な説明】
【技術分野】
【０００１】
本発明は、電気集塵式の空気清浄ユニットを備えた空気調和機に関する。
【背景技術】
【０００２】
空気清浄ユニットを備えた空気調和機としては、例えば特許文献１に記載されている先行技術が提案されている。
この先行技術の空気調和機では、熱交換器の風上に空気清浄機を配置し、この空気清浄機の吸込口を前面パネルの外周面と同一面となるように取り付けている。
【０００３】
この空気清浄機は、内部の塵埃を清掃する場合やメンテナンスを行う場合に、空気調和機から取り外す必要がある。このとき、取り外した空気清浄機は、清掃やメンテナンスが終了した時点で再度空気調和機に取り付けるようにしている。
【０００４】
空気清浄機に対する給電は、空気清浄機の背面に形成された一対の電極を空気調和機の空気清浄機取り付け面に形成された一対の電源電極部に装着することにより行う。このため、空気清浄機の取り外し状態では、給電が停止されて作業の安全性を確保することができる。
【０００５】
また前面パネルの開閉に伴いＯＮ／ＯＦＦされるマイクロスイッチを有しており、前面パネルを閉じた時にはマイクロスイッチのレバーが押圧されることで通電され、前面パネルが開かれたときレバーを開放して空気清浄機への電力の供給を遮断するようになっている。
【先行技術文献】
【特許文献】
【０００６】
【特許文献１】特開２００１−２２７７６６号公報
【発明の概要】
【発明が解決しようとする課題】
【０００７】
しかしながら、上記先行技術では、空気清浄機を取り外した状態では給電されないので安全性を確保できるが、空気清浄機が空気調和機に取り付けられているか否かを確認することはできない。この空気清浄機の取り付けの検知を行うために、前面パネルの開閉に伴いＯＮ／ＯＦＦされるマイクロスイッチに加え、空気清浄機の取り付け状態を検知する少なくとも１つの新たなマイクロスイッチを設ける必要がある。
【０００８】
このため、空気調和機にこの新たなマイクロスイッチ（物理的スイッチ）を搭載するためのスペースが必要になるとともに、比較的高価なマイクロスイッチが追加となるため、空気調和機のコストが上昇するという問題がある。
【０００９】
そこで、本発明は、上記先行技術の課題に着目してなされたものであり、物理的スイッチを設けることなく、空気清浄ユニットの着脱を検知することができる空気調和機を提供することを目的としている。
【課題を解決するための手段】
【００１０】
本発明の一態様に係る空気調和機は、電気集塵式の空気清浄ユニットを着脱自在に備えた空気調和機であって、一次側にパルス状電圧が印加され、二次側に発生する高電圧を前記空気清浄ユニットに印加するトランスを備えた駆動回路と、前記トランスの二次側の負荷電流を検出する電流検出部と、前記電流検出部で検出した前記負荷電流に基づいて前記空気清浄ユニットの稼働状態を判別する稼働状態判別部とを備えている。
【発明の効果】
【００１１】
本発明の一態様によれば、制御部でトランスの一次側にパルス状電圧を供給している状態で、トランスの二次側の負荷電流を検出することにより、空気清浄ユニットの取り付けが行われていないことを判断することが可能となる。したがって、空気清浄ユニットの取り付けの有無を判断する物理的スイッチを設けることなく、空気清浄ユニットの有無を判別することができる。
【図面の簡単な説明】
【００１２】
【図１】本発明に係る空気調和機の一実施形態の全体構成を示す断面図である。
【図２】空気清浄ユニットの制御装置を示すブロック図である。
【図３】制御装置の制御部で実行する空気清浄ユニットの稼働状態判別処理手順の一例を示すフローチャートである。
【発明を実施するための形態】
【００１３】
次に、図面を参照して、本発明の一実施形態について説明する。以下の図面の記載において、同一又は類似の部分には同一又は類似の符号を付している。但し、図面は模式的なものであり、現実のものとは異なることに留意すべきである。したがって、具体的な構成部品については以下の説明を参酌して判断すべきものである。
【００１４】
また、以下に示す実施形態は、本発明の技術的思想を具体化するための装置や方法を例示するものであって、本発明の技術的思想は、構成部品の形状、構造、配置等を下記のものに特定するものでない。本発明の技術的思想は、特許請求の範囲に記載された請求項が規定する技術的範囲内において、種々の変更を加えることができる。
【００１５】
以下の詳細な説明では、本発明の一実施形態の完全な理解を提供するように多くの特定の細部について記載される。しかしながら、かかる特定の細部がなくても１つ以上の実施態様が実施できることは明らかであろう。他にも、図面を簡潔にするために、周知の構造及び装置が略図で示されている。
以下に、本発明に係る空気調和機の一実施形態について説明する。
【００１６】
図１に示すように、空気調和機１は、室外機（図示せず）に接続された室内機２を有する。この室内機２は、室内機本体３の前面に開閉パネル４が配置され、この開閉パネル４の内側に熱交換器５が配置されている。この熱交換器５は、前面下方に対向する垂直部５ａと、この垂直部５ａの上部に連接して右上方に傾斜する上方傾斜部５ｂと、この上方傾斜部５ｂの上端に連接して右下方に傾斜する下方傾斜部５ｃとを備えている。熱交換器５に囲まれる位置に送風ファン６が配置されている。室内機本体３の下面側に、送風ファン６からの送風を吹き出す吹出口３ａが配置されている。
【００１７】
また、開閉パネル４には、熱交換器５の上方傾斜部５ｂに対向する位置に電気集塵式の空気清浄ユニット７が着脱自在に装着されている。この空気清浄ユニット７は、外表面の空気吸込口パネル７ａが開閉パネル４の外表面と面一となるように取り付けられている。
【００１８】
この空気清浄ユニット７には、背面側に３つの電極８ａ、８ｂ及び８ｃが突設されている。これら３つの電極８ａ、８ｂ及び８ｃは、空気清浄ユニット７を開閉パネル４に装着した状態で開閉パネル４を閉じたときに、室内機本体３に設けられた３つの高電圧側出力端子９ａ、９ｂ及び９ｃに接続される。
【００１９】
この状態で、高電圧側出力端子９ａ〜９ｃから空気清浄ユニット７の３つの電極８ａ〜８ｃを介して高電圧が供給可能な状態となり、この状態から開閉パネル４を開けることにより、空気清浄ユニット７の３つの電極８ａ〜８ｃが高電圧側出力端子９ａ〜９ｃから離脱して空気清浄ユニット７への高電圧の供給が遮断される。
【００２０】
一方、室内機本体３内には、図２に示す空気清浄ユニット７を駆動制御する駆動制御装置１１が内蔵されている。この駆動制御装置１１は、空気清浄ユニット７に高圧電圧を供給する駆動部１２と、この駆動部１２にパルス状電圧を印加するスイッチング制御部１３と、空気清浄ユニット７の運転を制御する制御装置１４とを備えている。
【００２１】
駆動部１２は、一次側巻線Ｌ１にパルス状電圧が印加されるフライバックトランス２１と、このフライバックトランス２１の二次側巻線Ｌ２に接続された倍電圧回路２２と、この倍電圧回路２２の出力側に接続された分圧回路２３とを備えている。フライバックトランス２１の一次側巻線Ｌ１の一端は、マイクロスイッチ１６を介して正極直流入力端子１０ａに接続されている。このマイクロスイッチ１６は開閉パネル４を開けると開となり、開閉パネル４を閉じると閉となる。このため、開閉パネル４を開けると一次巻線Ｌ１に供給される電圧が遮断されるため、空気清浄ユニット７を安全に取り出すことができる。
倍電圧回路２２は、全波倍電圧整流回路で構成され、正側半波整流回路２２Ｐと負側半波整流回路２２Ｎとで構成されている。
【００２２】
正側半波整流回路２２Ｐは、フライバックトランス２１の二次側巻線Ｌ２の一端にアノード端子が接続されたダイオードＤ１と、このダイオードＤ１のカソード端子とフライバックトランス２１の二次側巻線Ｌ２の他端との間に接続されたコンデンサＣ１とで構成されている。なお、ダイオードＤ１及びコンデンサＣ１の接続点Ｐ１が抵抗Ｒ１を介して高電圧側出力端子９ａに接続されている。
【００２３】
負側半波整流回路２２Ｎは、フライバックトランス２１の二次側巻線Ｌ２の一端にカソード端子が接続されたダイオードＤ２と、このダイオードＤ２のアノード端子とフライバックトランス２１の二次側巻線Ｌ２の他方の端子との間に接続されたコンデンサＣ２とで構成されている。
【００２４】
分圧回路２３は、２つの分圧抵抗Ｒ１１及びＲ１２のそれぞれの一端を接続して構成され、分圧抵抗Ｒ１１及びＲ１２間の接続点Ｐ５が高電圧側出力端子９ｂに接続されている。また、分圧抵抗Ｒ１１の他端は高電圧側出力端子９ａに、分圧抵抗Ｒ１２の他端はダイオードＤ２のアノード端子に、それぞれ接続されている。
【００２５】
そして、高電圧側出力端子９ａ及び９ｃ間には、空気清浄ユニット７内に配置された空気吸込口パネル７ａを通過して吸い込まれた塵埃を正イオンに帯電させるアイオナイザ７Ａが接続され、高電圧側出力端子９ｂ及び９ｃ間には、空気清浄ユニット７内にアイオナイザ７Ａの下流側に配置された集塵部となるコレクタ７Ｂが接続されている。なお、アイオナイザ７Ａとコレクタ７Ｂは、直流的に絶縁された図示しない２つの対向する電極をそれぞれ備えており、それぞれの一方の電極は電極８ｃに、アイオナイザ７Ａの他方の電極は電極８ａに、また、コレクタ７Ｂの他方の電極は電極８ｂに、それぞれ接続されている。
【００２６】
一方、フライバックトランス２１の一次側巻線Ｌ１の一端には抵抗Ｒ１３の一端が接続され、抵抗Ｒ１３の他端はツェナーダイオードＤ３のカソード端子に、また、ツェナーダイオードＤ３のアノード端子はグランドに、それぞれ接続されている。さらに、ツェナーダイオードＤ３のカソード端子は電流検出回路２５を介してダイオード２のアノード端子に接続されている。
従って倍電圧回路２２から出力される電圧の負極側がグランドの電位よりもツェナーダイオードＤ３の両端電圧だけ高い電位でクランプされている。
電流検出回路２５は、正側半波整流回路２２Ｐから出力され、アイオナイザ７Ａとコレクタ７Ｂを経由して高電圧側出力端子９ｃからグランドへ流れ、ツェナーダイオードＤ３を経由して負側半波整流回路２２Ｎに帰還する負荷電流Ｉｒを検出し、検出した負荷電流値ＩＬを制御装置１４へ出力する。
【００２７】
スイッチング制御部１３は、フライバックトランス２１の一次側巻線Ｌ１の他端と負極直流入力端子１０ｂとの間に接続されたスイッチング素子３１と、このスイッチング素子３１をスイッチング制御するスイッチング制御回路３２とで構成されている。スイッチング素子３１は、例えばＮＰＮ型バイポーラトランジスタで構成され、コレクタ端子がフライバックトランス２１の一次側巻線Ｌ１の他端に接続され、エミッタ端子が負極直流入力端子１０に接続されている。なお、スイッチング素子３１としてはバイポーラトランジスタに限らず、電界効果トランジスタなどの他のスイッチング素子を適用することができる。
【００２８】
スイッチング制御回路３２は、制御装置１４からの運転指令ＤＴに基づいて所定周波数のパルス信号をスイッチング素子３１のベースに供給して、スイッチング素子３１をオン・オフ制御する。
【００２９】
制御装置１４は、スイッチング制御部１３の正極直流入力端子１０ａ及び負極直流入力端子１０ｂが接続されている。この制御装置１４は、例えばマイクロコンピュータなどの演算処理装置を含んで構成され、空気清浄ユニット７の運転開始時に正極直流入力端子１０ａ及び負極直流入力端子１０ｂ間に所定電圧の直流電圧を出力するとともに、スイッチング制御回路３２に運転指令ＤＴを出力する。さらに、制御装置１４は、電流検出回路２５から入力される負荷電流検出値ＩＬに基づいて空気清浄ユニット７の稼働状態を判別する図３に示す稼働状態判別処理を実行する稼働状態判別部１５を備えている。
【００３０】
次に図３に基づいて稼働状態判別処理の説明を行なう。
制御装置１４に備えられている稼働状態判別部１５が実行する稼働状態判別処理は、空気調和機１が運転状態となっているときに実行される。
先ず、稼働状態判別部１５は、電流検出回路２５から出力される負荷電流検出値ＩＬを読み込み、次いでステップＳ２に移行して、負荷電流検出値ＩＬが第１閾値Ｉｔｈ１以下であるか否かを判定する。この判定は、空気清浄ユニット７が装着されているか否かを判定するものであり、空気清浄ユニット７が空気調和機１の室内機本体３に装着されていないときには、空気調和機１の電極８ａ〜８ｃが高電圧側出力端子９ａ〜９ｃに接続されていないことから負荷電流Ｉｒは無負荷時の電流になる。この無負荷時の電流は正側半波整流回路２２Ｐから分圧抵抗Ｒ１１と分圧抵抗Ｒ１２を介して負側半波整流回路２２Ｎに流れる電流である。従って第１閾値Ｉｔｈ１をこの無負荷時の電流値にしておけばよい。
【００３１】
そして稼働状態判別部１５は、負荷電流検出値ＩＬが第１閾値Ｉｔｈ１以下であるときには、空気清浄ユニット７が接続されていないものと判断してステップＳ３に移行してからステップＳ１に戻る。このステップＳ３において稼働状態判別部１５は、空気清浄ユニット７が装着されていないことを例えば室内機本体３の外表面に設けたＬＥＤ等の表示器を点滅させて未装着を報知する。この場合、未装着の報知は、表示器の点滅に限らす、音声で空気清浄ユニット７の未装着を報知するようにしてもよい。
【００３２】
一方、稼働状態判別部１５はステップＳ２の判定結果において負荷電流検出値ＩＬが第１閾値Ｉｔｈ１を超えている場合には、ステップＳ４へ移行し、負荷電流検出値ＩＬが第１閾値Ｉｔｈ１より大きい値の第２閾値Ｉｔｈ２以下であるか否かを判定する。この判定は、空気清浄ユニット７で集塵した塵埃量が清掃必要量に達したか否かを判定するものである。稼働状態判別部１５は、負荷電流検出値ＩＬが第２閾値Ｉｔｈ２以下である場合には、ステップ５において空気清浄ユニット７の清掃を促す清掃報知を例えば室内機本体３の外表面に設けた表示器で表示してからステップＳ１に戻る。この場合も清掃報知は、表示器で行う場合に限らず音声で報知するようにしてもよい。
【００３３】
なお、第２閾値Ｉｔｈ２は前述の無負荷時の電流値に対して、正側半波整流回路２２Ｐからコレクタ７Ｂとアイオナイザ７Ａを介して負側半波整流回路２２Ｎに流れる負荷を接続した状態の電流値を加算したもの、つまり、負荷駆動時の電流値を超える値である。また、第２閾値Ｉｔｈ２はコレクタ７Ｂに付着する塵埃がない場合の電流値である。
また、塵埃自体はコレクタ７に付着するが、この塵埃の付着量にほぼ比例してアイオナイザ７Ａにも塵埃が付着する。このため、アイオナイザ７Ａは塵埃により絶縁抵抗が増加する。このため、塵埃が付着しない場合に比較して塵埃が付着している時のアイオナイザ７Ａに流れる電流が小さくなる。
【００３４】
一方、稼働状態判別部１５はステップＳ４の判定結果が、負荷電流検出値ＩＬが第２閾値Ｉｔｈ２を超えている場合には、空気清浄ユニット７が正常であると判断してそのままステップＳ１に戻る。
次に、上記実施形態の動作について説明する。
先ず、空気調和機１の室内機本体３に空気清浄ユニット７が電極８ａ〜８ｃを高電圧側出力端子９ａ〜９ｃに接続されて装着されているものとする。
【００３５】
この状態で、空気調和機１に対して空気清浄ユニット７を稼働させた状態で暖房、冷房、除湿等の運転状態とすると、このための運転指令ＤＴｃｌが制御装置１４に入力される。これにより、制御装置１４からスイッチング制御部１３の正極直流入力端子１０ａ及び負極直流入力端子１０ｂ間に所定電圧の直流電圧を供給するとともに、スイッチング制御回路３２に対して運転指令ＤＴを出力する。
【００３６】
したがって、スイッチング制御回路３２からパルス信号がスイッチング素子３１に出力され、このスイッチング素子３１がスイッチング動作することにより、スイッチング素子３１のオン期間中にフライバックトランス２１の一次側巻線Ｌ１に電力を蓄える。そして、スイッチング素子３１がオフに切り替わると、フライバックトランス２１の逆起電力を利用して、蓄えられていた電力を二次側巻線Ｌ２から一気に出力する。
【００３７】
このフライバックトランス２１の二次側巻線Ｌ２から出力される昇圧された高電圧は、倍電圧回路２２の正側半波整流回路２２Ｐ及び負側半波整流回路２２Ｎで全波倍電圧整流されて高電圧側出力端子９ａ及び９ｃ間に第１直流高電圧として出力される。この第１直流高電圧が空気清浄ユニット７のアイオナイザ７Ａに供給されることにより、空気吸込口パネル７ａを通過して吸い込まれた室内空気中に多数の正イオンが発生する。そしてこの正イオンと吸い込まれた空気中の塵埃が衝突し、塵埃はプラス電位に帯電する。
【００３８】
これと同時に、倍電圧回路２２から出力される直流高電圧が分圧回路２３で分圧されて高電圧側出力端子９ｂ及び９ｃから第１直流高電圧より低い第２直流高電圧として出力される。この第２直流高電圧が空気清浄ユニット７のコレクタ７Ｂに供給されることにより、アイオナイザ７Ａによってプラス電位に帯電した塵埃は、この塵埃のクーロン力によりコレクタ７Ｂに捕集される。
そして、塵埃が除去された清浄な空気が熱交換器で熱交換されて冷房、暖房、除湿の運転態様に応じた空気調和風として室内に送り出される。
【００３９】
このとき、空気清浄機能を継続して使用することにより、集塵した塵埃が蓄積されてアイオナイザ７Ａ及びコレクタ７Ｂに汚れが発生した場合には、前述したように汚れの度合いに応じてアイオナイザ７Ａに流れる負荷電流Ｉｒが低下する。
【００４０】
電流検出回路２５はこの負荷電流Ｉｒを検出し、検出した負荷電流検出値ＩＬを制御装置１４に出力する。制御装置１４では、図３に示す稼働状態判別処理を実行しているので、負荷電流検出値ＩＬが第２閾値Ｉｔｈ２以下に低下すると、ステップＳ４からステップＳ５へ移行して清掃を要求する清掃報知を室内機本体３から報知することにより、ユーザーに空気清浄ユニット７の清掃を促すことができる。
【００４１】
この空気清浄ユニット７の清掃時には、空気清浄ユニット７を開閉パネル４から取り外して清掃を行うことになる。この場合、開閉パネル４を開いた状態で、空気清浄ユニット７の電極８ａ〜８ｃが室内機本体３側の高電圧側出力端子９ａ〜９ｃから離脱することにより、空気清浄ユニット７のアイオナイザ７Ａ及びコレクタ７Ｂにする高電圧の供給が確実に遮断され、安全性を向上させることができる。また、スイッチング制御部１３のマイクロスイッチ１６も開閉パネル４を開いた状態で開となり、高電圧の供給が確実に遮断され、安全性を向上させることができる。
【００４２】
この空気清浄ユニット７の清掃が完了したときには、空気清浄ユニット７を再度開閉パネル４に取り付けてから開閉パネル４を閉じることにより、空気清浄ユニット７の電極８ａ〜８ｃが室内機本体３側の高電圧側出力端子９ａ〜９ｃに接続されて高電圧が供給可能な状態となる。また、スイッチング制御部１３のマイクロスイッチ１６も開閉パネル４を閉めた状態で閉となり、高電圧の供給が可能になる。
【００４３】
したがって、この清掃が完了した空気清浄ユニット７を室内機本体３に取り付けた状態で、再度運転を開始した場合には、空気清浄ユニット７のアイオナイザ７Ａ及びコレクタ７Ｂの汚れがないので、電流検出回路２５で検出される負荷電流検出値ＩＬが第２閾値Ｉｔｈ２を超えることなることにより、稼働状態判別部１５が図３の稼働状態判別処理を実行したときに、ステップＳ３４判定結果がＩＬ＞Ｉｔｈ２となって、ステップＳ１に戻ることを繰り返す。
【００４４】
しかしながら、空気清浄ユニット７を清掃したり、その他のメンテナンスを行ったりした際に、空気清浄ユニット７を室内機本体３に装着し忘れると、室内機本体３の高電圧側出力端子９ａ〜９ｃに空気清浄ユニット７のアイオナイザ７Ａ及びコレクタ７Ｂが接続されない状態となる。
【００４５】
この状態で空気調和機１を運転開始して、運転指令ＤＴｃｌが制御装置１４に入力されたときに、スイッチング制御回路３２からパルス信号がスイッチング素子３１に出力されて、駆動部１２で高電圧側出力端子９ａ〜９ｃに高電圧を出力する状態となる。
【００４６】
但し、このとき、高電圧側出力端子９ａ〜９ｃにアイオナイザ７Ａ及びコレクタ７Ｂが接続されていないので、高電圧側出力端子９ｃには負荷電流Ｉｒは流れない。このため、電流検出回路２５で検出される負荷電流検出値ＩＬが前述したように無負荷時の電流であるため稼働状態判別部１５は、図３の稼働状態判別処理において、ステップＳ２でＩＬはＩｔｈ１以下と判定した時、ステップＳ３に移行して空気清浄ユニット７が未装着であることを報知する未装着報知を実行する。
【００４７】
このように、本実施形態によると、空気清浄ユニット７を構成するアイオナイザ７Ａ及びコレクタ７Ｂを駆動する駆動部１２のフライバックトランス２１の二次側の負荷電流Ｉｒを電流検出回路２５で検出することにより、アイオナイザ７Ａ及びコレクタ７Ｂの汚れ度合いや、空気清浄ユニット７の未装着を判別することがでる。したがって、空気清浄ユニット７の装着状態を検出するマイクロスイッチを設ける必要がなく、そのための設置スペースを設けたりする必要がない。また、マイクロスイッチを使用しないためコストアップを避けることができる。
【００４８】
しかも、倍電圧回路２２から出力される電圧の負極側がグランドの電位よりもツェナーダイオードＤ３の両端電圧だけ高い電位でクランプされる回路構成とし、駆動部１２のフライバックトランス２１の二次側における倍電圧回路２２の負側半波整流回路２２Ｎ側に戻る帰還電流を負荷電流Ｉｒとして検出するようにしているので、グランドを基準電位として動作する制御装置１４へ電流検出回路２５で検出した負荷電流検出値ＩＬをそのまま出力することができる。
【００４９】
さらに、負荷電流Ｉｒを検出することにより、空気清浄ユニットの装着状態の他、アイオナイザ７Ａ及びコレクタ７Ｂの汚れ状態も判別することが可能となり、空気清浄ユニットの清掃を促すことが可能となる。
【００５０】
なお、上記実施形態では、高電圧を発生させる方式としてフライバック方式を採用した場合について説明したが、これに限定されるものではなく、フォワード方式を採用することもできる。
【００５１】
また、上記実施形態では、倍電圧回路２２と正側半波整流回路２２Ｐと負側半波整流回路２２Ｎとを設けて全波倍電圧整流回路を構成した場合について説明したが、これに限定されるものではなく、負側半波整流回路２２Ｎを省略するようにしてもよい。また、倍電圧回路２２としては上記に限定されるものではなく、種々の倍電圧回路を適用することができる。
【００５２】
さらに、上記実施形態では、空気清浄ユニット７を開閉パネル４に取り付ける場合について説明したが、これに限定されるものではなく、開閉パネル４の内側の室内機本体３に着脱自在に取り付けるようにしてもよい。
また、本実施例ではツェナーダイオードＤ３と負側半波整流回路２２Ｎとの間に電流検出回路２５を備えた例を説明しているが、これに限るものでなく、高電圧側出力端子９９ｃとグランドとの間に流れる負荷電流を検出するようにしてもよい。
【００５３】
以上、特定の実施形態を参照して本発明を説明したが、これらの説明によって発明を限定することを意図するものではない。本発明の説明を参照することにより、当業者には、開示された実施形態の種々の変形例とともに本発明の別の実施形態も明らかである。したがって、特許請求の範囲は、本発明の範囲及び要旨に含まれるこれらの変形例又は実施形態も網羅すると解すべきである。
【符号の説明】
【００５４】
１…空気調和機、２…室内機、３…室内機本体、４…開閉パネル、５…熱交換器、６…送風ファン、７…空気清浄ユニット、７Ａ…アイオナイザ、７Ｂ…コレクタ、８ａ〜８ｃ…電極、９ａ〜９ｃ…高電圧側出力端子、１０ａ…正極直流入力端子、１０ｂ…負極直流入力端子、１１…駆動制御装置、１２…駆動部、１３…スイッチング制御部、１４…制御装置、１５…稼働状態判別部、１６…マイクロスイッチ、２１…フライバックトランス、２２…倍電圧回路、２２Ｐ…正側半波整流回路、２２Ｎ…負側半波整流回路、２３…分圧回路、２５…電流検出回路、３１…スイッチング素子、３２…スイッチング制御回路
【図１】
2018167159.tif 000003
【図２】
2018167159.tif 000004
【図３】
2018167159.tif 000005